【手続補正書】
【提出日】令和3年10月11日(2021.10.11)
【手続補正１】
【補正対象書類名】特許請求の範囲
【補正対象項目名】全文
【補正方法】変更
【補正の内容】
【特許請求の範囲】
【請求項１】
ロープ（１）が装備された、少なくとも１つのロープ車（２１）を有する巻き上げ装置のためのロープ監視システムであって、
前記ロープは、強度部材（１０）の長手方向寸法に沿って分布した物体（１０１）を含み、
前記物体（１０１）が、遠隔で検出可能、読み取り可能、及びプログラム可能な識別、ＩＤ、タグであり、
前記ロープが、個々のロープ区分（１１）であって、少なくとも１つのＩＤタグ（１０１）が提供され、且つ、前記タグによって識別される個々のロープ区分（１１）に事実上分かれているとともに、前記ロープが、前記巻き上げ装置の所定の経路に沿って、前記少なくとも１つのロープ車上に耐荷重ロープとして位置決めされているロープ監視システムにおいて、
−前記ロープの前記所定の経路に沿って取り付けられた少なくとも１つのＩＤタグ読み取り（２２）デバイスであって、前記少なくとも１つのＩＤタグ（１０１）が提供され、且つ、前記経路に沿って移動するときに、前記タグによって識別される少なくとも前記個々のロープ区分の識別情報を検出するＩＤタグ読み取り（２２）デバイスと、
−前記ロープの前記所定の経路に沿って取り付けられた少なくとも１つのＩＤタグ書き込み（２４）デバイスであって、前記経路に沿って移動するときに、前記個々のロープ区分の新たな健全性状態を前記少なくとも１つのＩＤタグ（１０１）に書き込みするＩＤタグ書き込み（２４）デバイスと、
−前記ロープの少なくとも１つの動作の間に、少なくとも１つのロープ動作パラメータを測定する少なくとも１つの手段（２６）と、
−前記所定のロープ経路の幾何学的形状、前記少なくとも１つのロープ動作パラメータ、前記少なくとも１つのＩＤタグの前記識別情報及び位置を含むデータが提供されている演算ユニット（２８）であって、
−前記データに基づいて、前記巻き上げ装置の前記所定の経路に関して前記ロープの個々の区分の相対的な長手方向の位置決め、及び、前記少なくとも１つのロープ動作パラメータの下での前記経路に沿った前記移動の間に、前記ロープの個々の区分が受けた追加の損傷又は複数の損傷を演算すること、
−前記ロープの前記個々の区分の前記新たな健全性状態を演算及び記録すること、
−前記ロープの前記個々の区分の前記新たな健全性状態を対応する前記ロープの前記少なくとも１つのプログラム可能なＩＤタグに格納するために、前記ロープの前記個々の区分の前記新たな健全性状態を対応する前記少なくとも１つのＩＤタグ書き込みデバイスに送ること、
が可能なアルゴリズムが装備された演算ユニット（２８）と、
を含むロープ監視システム。
【請求項２】
少なくとも１つの仮想ロープ区分の物理的なロープパラメータを測定する少なくとも１つのさらなる手段（２７）を含む、請求項１に記載のロープ監視システム。
【請求項３】
少なくとも１つのロープ動作パラメータを測定する前記少なくとも１つの手段（２６）が、吊荷の質量、前記吊荷の加速度、前記吊荷の振動、前記ロープの動作方向、前記ロープの速度、前記ロープの加速度、前記ロープの滑り量、前記ロープに対する牽引力、前記ロープに対する圧力、前記ロープの張力、前記ロープの圧縮、及び前記ロープのトーションから選択される１つ又は複数のパラメータを検出する、請求項１又は２に記載のロープ監視システム。
【請求項４】
事前定義された時間又は動作レベルで、ロープの個々の仮想区分の、このような区分ごとのそれぞれの損傷を増分的に合計することにより、ロープの個々の区分の新たな健全性状態を演算及び記録するように前記アルゴリズムが構成される、請求項１〜３のいずれか一項に記載のロープ監視システム。
【請求項５】
ロープの個々の区分が受けた損傷又は複数の損傷を、これらのロープの個々の区分の残存寿命を表示するパラメータ又は複数のパラメータに集約させることにより、ロープの個々の区分の新たな健全性状態を演算及び記録するように前記アルゴリズムが構成される、請求項１〜４のいずれか一項に記載のロープ監視システム。
【請求項６】
ロープの個々の区分の残存寿命は、新品のロープ又はロープ区分の未使用状態の、百分率として表現される、請求項５に記載のロープ監視システム。
【請求項７】
前記ロープの少なくとも１つの仮想区分の前記残存寿命が、事前定義された限界に達すると、前記演算ユニットが、警告信号をさらに供給するように構成される、請求項５又は６に記載のロープ監視システム。
【請求項８】
少なくとも１つのＩＤタグ読み取り（２２）デバイスは、
前記少なくとも１つのＩＤタグ（１０１）が提供され、且つ、前記経路に沿って移動するときに、前記タグによって識別される少なくとも前記個々のロープ区分の過去の健全性状態を検出するように構成され、
前記演算ユニット（２８）には、前記ロープの前記個々の区分の前記新たな健全性状態を演算及び記録するため、対応する前記ロープ区分の前記過去の健全性状態が、更に提供される、請求項１〜７のいずれか一項に記載のロープ監視システム。
【請求項９】
前記ロープ監視システムは更に前記ロープを含む、請求項１〜８のいずれか一項に記載のロープ監視システム。
【請求項１０】
前記ロープは、強度部材（１０）であって、ＡＳＴＭ  Ｄ８８５Ｍに規定されているように、少なくとも１．０Ｎ／Ｔｅｘの靭性を有する高機能ヤーンを含む一次ストランドを含む強度部材を含む、請求項１〜９のいずれか一項に記載のロープ監視システム。
【請求項１１】
巻き上げ装置のためのロープ（１）であって、強度部材（１０）であって、ＡＳＴＭ  Ｄ８８５Ｍに規定されているように、少なくとも１．０Ｎ／Ｔｅｘの靭性を有する高機能ヤーンを含む一次ストランドを含む強度部材を含み、間隔をあけて位置し、前記強度部材（１０）の長手方向寸法に沿って分布した物体（１０１）をさらに含むロープにおいて、前記物体（１０１）が、遠隔で検出可能、読み取り可能、及びプログラム可能な識別、ＩＤ、タグであり、
前記ＩＤタグは、ロープの個々の区分の残存寿命を表示するパラメータ又は複数のパラメータとして、ロープの個々の区分の健全性状態を保存する、ロープ。
【請求項１２】
ロープの個々の区分の残存寿命は、新品のロープ又はロープ区分の未使用状態の、百分率として表現される、請求項１１に記載のロープ。
【請求項１３】
前記強度部材が編組構造であり、前記ＩＤタグが前記編組強度部材の前記一次ストランド間に制約なしに位置決めされている、請求項１１又は１２に記載のロープ。
【請求項１４】
前記ＩＤタグが所定の間隔をあけて位置し、長尺の支持要素の前記長手方向寸法に沿って分布し、長尺の支持要素が、前記ＩＤタグを含む編組構造を有する、請求項１１又は１２に記載のロープ。
【請求項１５】
ロープ（１）が装備された、少なくとも１つのロープ車（２１）を有する巻き上げ装置のためのロープ監視方法であって、
前記ロープは、強度部材（１０）の長手方向寸法に沿って分布した物体（１０１）を含み、
前記物体（１０１）が、遠隔で検出可能、読み取り可能、及びプログラム可能な識別、ＩＤ、タグであり、
前記ロープが、個々のロープ区分（１１）であって、少なくとも１つのＩＤタグ（１０１）が提供され、且つ、前記タグによって識別される個々のロープ区分（１１）に事実上分かれているとともに、前記ロープが、前記巻き上げ装置の所定の経路に沿って、前記少なくとも１つのロープ車上に耐荷重ロープとして位置決めされているロープ監視方法において、
−前記ロープの前記所定の経路に沿って取り付けられた少なくとも１つのＩＤタグ読み取り（２２）デバイスであって、前記少なくとも１つのＩＤタグ（１０１）が提供され、且つ、前記経路に沿って移動するときに、前記タグによって識別される少なくとも前記個々のロープ区分の識別情報を検出するＩＤタグ読み取り（２２）デバイスと、
−前記ロープの前記所定の経路に沿って取り付けられた少なくとも１つのＩＤタグ書き込み（２４）デバイスであって、前記経路に沿って移動するときに、前記個々のロープ区分の新たな健全性状態を前記少なくとも１つのＩＤタグ（１０１）に書き込みするＩＤタグ書き込み（２４）デバイスと、
−前記ロープの少なくとも１つの動作の間に、少なくとも１つのロープ動作パラメータを測定する少なくとも１つの手段（２６）と、
−前記所定のロープ経路の幾何学的形状、前記少なくとも１つのロープ動作パラメータ、前記少なくとも１つのＩＤタグの前記識別情報及び位置を含むデータが提供されている演算ユニット（２８）であって、
−前記データに基づいて、前記巻き上げ装置の前記所定の経路に関して前記ロープの個々の区分の相対的な長手方向の位置決め、及び、前記少なくとも１つのロープ動作パラメータの下での前記経路に沿った前記移動の間に、前記ロープの個々の区分が受けた追加の損傷又は複数の損傷を演算すること、
−前記ロープの前記個々の区分の前記新たな健全性状態を演算及び記録すること、
−前記ロープの前記個々の区分の前記新たな健全性状態を対応する前記ロープの前記少なくとも１つのプログラム可能なＩＤタグに格納するために、前記ロープの前記個々の区分の前記新たな健全性状態を対応する前記少なくとも１つのＩＤタグ書き込みデバイスに送ること、
が可能なアルゴリズムが装備された演算ユニット（２８）と、
を含むロープ監視方法。
【請求項１６】
請求項１５で規定されたアルゴリズムを表すデータを含む、コンピュータ読み取り可能媒体。